(57)【特許請求の範囲】
【請求項１】
無線機器と、この無線機器に対して無線通信により固有情報を設定する固有情報設定装置とを備えた固有情報設定システムにおいて、
前記固有情報設定装置は、
通信可能圏内の無線機器に対してその無線機器に設定されている識別情報の返送指令を送信する返送指令送信手段と、
この返送指令送信手段からの返送指令に応えて識別情報を返送してきた無線機器の一覧を作成し表示する無線機器一覧作成表示手段と、
前記表示された無線機器の一覧の中から指定された無線機器の識別情報を通信可能圏内の無線機器に対して送信する手段と、
前記表示された無線機器の一覧の中から所望の無線機器が設定対象の無線機器として指定された場合、その指定された設定対象の無線機器に対する設定情報の入力部を表示する設定情報入力部表示手段と、
前記表示された設定情報の入力部に所望の設定情報が入力され、その設定情報の入力が確定された場合、その確定された設定情報を前記設定対象の無線機器の識別情報を付加して通信可能圏内の無線機器に対して送信する設定情報送信手段とを備え、
前記無線機器は、
前記固有情報設定装置より送られてくる識別情報の返送指令に応えて自己に設定されている識別情報を返送する手段と、
前記固有情報設定装置より送られてくる識別情報を受信し、受信した識別情報と自己に設定されている識別情報とが一致した場合、自己の所在を報知する手段と、
前記固有情報設定装置より送られてくる設定情報を受信し、その設定情報に付加されている識別情報と自己に設定されている識別情報とが一致した場合、その設定情報を自己に割り当てられた固有情報として記憶する手段とを備え、
前記設定情報入力部表示手段は、
前記表示された無線機器の一覧の中から所望の無線機器が設定対象の無線機器として指定された場合、その指定された設定対象の無線機器の設定情報のデフォルト値を取得し、各種設定情報項目に対応づけて前記デフォルト値が取得された項目についてはその設定情報の入力欄を取得されたデフォルト値として、前記デフォルト値が取得されなかった項目についてはその設定情報の入力欄を空白として、前記指定された設定対象の無線機器に対する設定情報の入力部を表示する
ことを特徴とする固有情報設定システム。
【請求項２】
請求項１に記載された固有情報設定システムにおいて、
前記設定情報入力部表示手段は、
前記指定された設定対象の無線機器の設定情報のデフォルト値をその指定された設定対象の無線機器の記憶部から取得する
ことを特徴とする固有情報設定システム。
【請求項３】
請求項１に記載された固有情報設定システムにおいて、
前記設定情報入力部表示手段は、
前記指定された設定対象の無線機器の設定情報のデフォルト値を前記固有情報設定装置の記憶部より取得する
ことを特徴とする固有情報設定システム。
【請求項４】
無線機器に対して無線通信により固有情報を設定する固有情報設定装置において、
通信可能圏内の無線機器に対してその無線機器に設定されている識別情報の返送指令を送信する返送指令送信手段と、
この返送指令送信手段からの返送指令に応えて識別情報を返送してきた無線機器の一覧を作成し表示する無線機器一覧作成表示手段と、
前記表示された無線機器の一覧の中から指定された無線機器の識別情報を通信可能圏内の無線機器に対して送信する手段と、
前記表示された無線機器の一覧の中から所望の無線機器が設定対象の無線機器として指定された場合、その指定された設定対象の無線機器に対する設定情報の入力部を表示する設定情報入力部表示手段と、
前記表示された設定情報の入力部に所望の設定情報が入力され、その設定情報の入力が確定された場合、その確定された設定情報を前記設定対象の無線機器の識別情報を付加して通信可能圏内の無線機器に対して送信する設定情報送信手段とを備え、
前記設定情報入力部表示手段は、
前記表示された無線機器の一覧の中から所望の無線機器が設定対象の無線機器として指定された場合、その指定された設定対象の無線機器の設定情報のデフォルト値を取得し、各種設定情報項目に対応づけて前記デフォルト値が取得された項目についてはその設定情報の入力欄を取得されたデフォルト値として、前記デフォルト値が取得されなかった項目についてはその設定情報の入力欄を空白として、前記指定された設定対象の無線機器に対する設定情報の入力部を表示する
ことを特徴とする固有情報設定装置。
【請求項５】
請求項４に記載された固有情報設定装置において、
前記設定情報入力部表示手段は、
前記指定された設定対象の無線機器の設定情報のデフォルト値をその指定された設定対象の無線機器の記憶部から取得する
ことを特徴とする固有情報設定装置。
【請求項６】
請求項４に記載された固有情報設定装置において、
前記設定情報入力部表示手段は、
前記指定された設定対象の無線機器の設定情報のデフォルト値を当該固有情報設定装置の記憶部より取得する
ことを特徴とする固有情報設定装置。
【発明の詳細な説明】
【技術分野】
【０００１】
この発明は、無線機器に対して固有情報設定装置より無線通信により管理番地や各種のパラメータなどの固有情報を設定する固有情報設定システムおよび固有情報設定装置に関するものである。
【背景技術】
【０００２】
施工の簡略化などを目的として、建物の空調制御用機器（例えば、コントローラ、センサ、アクチュエータ）の無線化が進みつつある。これらの無線機器には空調制御システムとして機能させるために管理番地や各種のパラメータなどの固有情報を設定する必要がある。
【０００３】
この無線機器に固有情報を設定するための方式として、従来より、
（１）固有情報設定用のスイッチを無線機器に設ける方式．
（２）固有情報設定装置を無線機器に通信線で接続し、通信線を介する固有情報設定装置からの操作で、無線機器内部の不揮発性メモリに固有情報を書き込む方式．
などがある。
【０００４】
上述した方式（１）では、スイッチと読み込み回路が必要となり、上述した方式（２）では、固有情報設定装置との有線通信回路が必要となる。また、方式（１），（２）ともに、天井裏等に設置された無線機器に対して固有情報の設定を行うような場合、梯子などを利用して無線機器に近づく必要があり、設定作業が煩わしく、時間もかかる。なお、設置前に固有情報を設定しておいたとしても、固有情報に変更が生じれば、やはり梯子などを利用して無線機器に近づく必要がある。
【０００５】
これに対し、無線機器に対して固有情報設定装置から無線通信により固有情報の設定を行うようにすれば、梯子などを利用して無線機器に近づかなくてもよく、設定作業が簡単となる。例えば、特許文献１では、ワイヤレス式アドレス設定器（固有情報設定装置）を用いて、無線通信により、現場に設置された端末器（無線機器）にアドレス（固有情報）を設定するようにしている。以下、この特許文献１に示された方式を方式（３）と呼ぶ。
【０００６】
方式（３）では、ワイヤレス式アドレス設定器を使用するにあたって、設定用操作部を介して、各端末器の物理識別子（識別情報）とその端末器に割り当てるアドレスとを入力する。これにより、ワイヤレス式アドレス設定器内に、各端末器の物理識別子とその端末器に割り当てるアドレスとの対応関係を登録する。端末器にアドレスを設定する際には、所望の端末器が設置されている場所にワイヤレス式アドレス設定器を持って行き、その端末器の物理識別子を選択操作部を介して入力する。この時、ワイヤレス式アドレス設定器の送受信部は、所望の端末器の送受信部に向ける。すると、入力した物理識別子に対応するアドレスが読み出され、所望の端末器に向けて送出される。これにより、所望の端末器に、その端末器の物理識別子と対応づけて登録したアドレスが設定される。
【０００７】
【特許文献１】特開平８−１４０１６９号公報
【発明の開示】
【発明が解決しようとする課題】
【０００８】
しかしながら、上述した方式（３）では、ワイヤレス式アドレス設定器に各端末器の物理識別子とその端末器に割り当てるアドレスとの対応関係を登録しなければならず、このための登録作業が面倒である。
また、上述した方式（３）では、端末器の設置場所が分かっていることが前提であり、端末器の設置場所が不明な場合には、アドレスの設定が困難であった。
また、上述した方式（３）では、ワイヤレス式アドレス設定器の通信可能圏内に複数の端末器が混在するような場合、所望の端末器に対するアドレスが別の端末器に設定されてしまう虞れがあった。
【０００９】
本発明は、このような課題を解決するためになされたもので、その目的とするところは、固有情報設定装置に各無線機器の識別情報とその無線機器に割り当てる固有情報との対応関係を登録する必要がなく、無線機器の設置場所が不明な場合であっても所望の無線機器を探し出し、その無線機器のみに正しく固有情報を設定することが可能な固有情報設定システムおよび固有情報設定装置を提供することにある。
【課題を解決するための手段】
【００１０】
このような目的を達成するために本発明は、無線機器と、この無線機器に対して無線通信により固有情報を設定する固有情報設定装置とを備えた固有情報設定システムにおいて、固有情報設定装置に、通信可能圏内の無線機器に対してその無線機器に設定されている識別情報の返送指令を送信する返送指令送信手段と、この返送指令送信手段からの返送指令に応えて識別情報を返送してきた無線機器の一覧を作成し表示する無線機器一覧作成表示手段と、表示された無線機器の一覧の中から指定された無線機器の識別情報を通信可能圏内の無線機器に対して送信する手段と、表示された無線機器の一覧の中から所望の無線機器が設定対象の無線機器として指定された場合、その指定された設定対象の無線機器に対する設定情報の入力部を表示する設定情報入力部表示手段と、表示された設定情報の入力部に所望の設定情報が入力され、その設定情報の入力が確定された場合、その確定された設定情報を設定対象の無線機器の識別情報を付加して通信可能圏内の無線機器に対して送信する設定情報送信手段とを設け、無線機器に、固有情報設定装置より送られてくる識別情報の返送指令に応えて自己に設定されている識別情報を返送する手段と、固有情報設定装置より送られてくる識別情報を受信し、受信した識別情報と自己に設定されている識別情報とが一致した場合、自己の所在を報知する手段と、固有情報設定装置より送られてくる設定情報を受信し、その設定情報に付加されている識別情報と自己に設定されている識別情報とが一致した場合、その設定情報を自己に割り当てられた固有情報として記憶する手段とを備え、設定情報入力部表示手段は、表示された無線機器の一覧の中から所望の無線機器が設定対象の無線機器として指定された場合、その指定された設定対象の無線機器の設定情報のデフォルト値を取得し、各種設定情報項目に対応づけてデフォルト値が取得された項目についてはその設定情報の入力欄を取得されたデフォルト値として、デフォルト値が取得されなかった項目についてはその設定情報の入力欄を空白として、指定された設定対象の無線機器に対する設定情報の入力部を表示することを特徴とする。なお、本発明は、固有情報設定システムとしてではなく、固有情報設定装置としても実現することができる。
【００１１】
この発明において、固有情報設定装置は、通信可能圏内の無線機器に対してその無線機器に設定されている識別情報の返送指令を送信する。例えば、固有情報設定装置の通信可能圏内に無線機器Ａと無線機器Ｂとがあり、無線機器Ａに識別情報＃１が設定されており、無線機器Ｂに識別情報＃２が設定されているものとした場合、固有情報設定装置は無線機器Ａ，Ｂに識別情報＃１，＃２の返送命令を送信する。
【００１２】
無線機器Ａ，Ｂから識別情報＃１，＃２が返送されてくると、固有情報設定装置は、この識別情報＃１，＃２を返送してきた無線機器Ａ，Ｂの一覧を作成し表示する。例えば、識別情報を返送してきた無線機器の一覧として、識別情報＃１，＃２を画面に表示する。なお、識別情報を返送してきた無線機器に対応する番号もしくは文字列を表示するようにしたり、アイコン（絵文字）を表示するようにしたりしてもよい。この識別情報を返送してきた無線機器の一覧の中から例えば無線機器Ａを指定すると、無線機器Ａの識別情報＃１が固有情報設定装置より通信可能圏内の無線機器に対して送信される。ここで、通信可能圏内の無線機器Ａは、固有情報設定装置から送信されてきた識別情報＃１と自己に設定されている識別情報＃１とが一致するので、自己の存在を報知する。例えば、ブザーを鳴動することにより自己の存在を報知したり、ランプを点灯することにより自己の存在を報知する。
【００１３】
自己の存在を報知した無線機器Ａが所望の無線機器でなかった場合、操作者は、識別情報を返送してきた無線機器の一覧の中から無線機器Ｂを指定する。すると、無線機器Ｂの識別情報＃２が固有情報設定装置より通信可能圏内の無線機器に対して送信される。ここで、通信可能圏内の無線機器Ｂは、固有情報設定装置から送信されてきた識別情報＃２と自己に設定されている識別情報＃２とが一致するので、自己の存在を報知する。
【００１４】
自己の存在を報知した無線機器Ｂが所望の無線機器であった場合、操作者は、識別情報を返送してきた無線機器の一覧の中から無線機器Ｂを設定対象の無線機器として指定する。すると、固有情報設定装置の画面に、その指定された設定対象の無線機器Ｂに対する設定情報の入力部が表示される。この場合、無線機器Ｂの設定情報のデフォルト値を取得し、各種設定情報項目に対応づけてデフォルト値が取得された項目についてはその設定情報の入力欄を取得されたデフォルト値として、デフォルト値が取得されなかった項目についてはその設定情報の入力欄を空白として、指定された設定対象の無線機器Ｂに対する設定情報の入力部を表示する。
【００１５】
これにより、識別情報を返送してきた無線機器の一覧の中から所望の無線機器を設定対象の無線機器として指定して、この設定対象の無線機器に対する設定情報の入力部を表示させ、この設定情報の入力部から設定対象の無線機器への所望の設定情報（固有情報）を入力することが可能となる。
【００１６】
また、本発明では、設定情報の入力部に所望の設定情報が入力され、その設定情報の入力が確定された場合、その確定された設定情報が設定対象の無線機器の識別情報を付加して通信可能圏内の無線機器に対して送信される。通信可能圏内の無線機器は、固有情報設定装置より送られてくる設定情報を受信し、その設定情報に付加されている識別情報と自己に設定されている識別情報とが一致していた場合、その設定情報を自己に割り当てられた固有情報として記憶する。
【００１７】
例えば、無線機器Ｂを設定対象の無線機器とし、この無線機器Ｂに対する設定情報の入力部に所望の設定情報が入力され、その設定情報の入力が確定されたとする。この場合、その確定された設定情報が無線機器Ｂの識別情報＃２を付加して、固有情報設定装置から通信可能圏内の無線機器に送信される。ここで、通信可能圏内の無線機器Ｂは、固有情報設定装置より送信されてきた設定情報に付加されている識別情報＃２と自己の識別情報＃２とが一致するので、その設定情報を自己に割り当てられた固有情報として記憶する。これにより、設定対象の無線機器のみに、正しく固有情報を設定することが可能となる。
【発明の効果】
【００１８】
本発明によれば、固有情報設定装置より通信可能圏内の無線機器に対してその無線機器に設定されている識別情報の返送指令を送信し、この返送指令に応えて識別情報を返送してきた無線機器の一覧を固有情報設定装置において作成し表示するようにし、その一覧の中から指定された無線機器の識別情報を固有情報設定装置より通信可能圏内の無線機器に対して送信し、固有情報設定装置から送信されてきた識別情報と一致する識別情報が設定されている無線機器において自己の所在を報知するようにしたので、無線機器の設置場所が不明な場合であっても、周囲の無線機器に識別情報の返送を要求し、識別情報を返送してきた無線機器の一覧の中から無線機器を指定しながら所望の無線機器を探し出し、その無線機器に固有情報を設定することができるようになる。
【００１９】
また、本発明によれば、表示された無線機器の一覧の中から所望の無線機器が設定対象の無線機器として指定された場合、その指定された設定対象の無線機器の設定情報のデフォルト値を取得し、各種設定情報項目に対応づけてデフォルト値が取得された項目についてはその設定情報の入力欄を取得されたデフォルト値として、デフォルト値が取得されなかった項目についてはその設定情報の入力欄を空白として、指定された設定対象の無線機器に対する設定情報の入力部を表示するようにし、この表示された設定情報の入力部に所望の設定情報が入力され、その設定情報の入力が確定された場合、その確定された設定情報を設定対象の無線機器の識別情報を付加して通信可能圏内の無線機器に対して送信し、設定情報に付加されている識別情報と一致する識別情報が設定されている無線機器においてその設定情報を自己に割り当てられた固有情報として記憶させるようにしたので、固有情報設定装置に各無線機器の識別情報とその無線機器に割り当てる固有情報との対応関係を登録しなくてもよく、面倒な登録作業が不要となる。また、設定情報に付加されている識別情報の一致を確認して無線機器に固有情報を記憶させるので、固有情報設定装置の通信可能圏内に複数の無線機器が混在するような場合であっても、所望の無線機器のみに正しく固有情報を設定することができるようになる。
【発明を実施するための最良の形態】
【００２０】
以下、本発明を図面に基づいて詳細に説明する。図１は本発明に係る固有情報設定システムの一実施の形態を示す構成図である。
同図において、１（１−１〜１−３）は空調制御用の無線機器（例えば、コントローラ、センサ、アクチュエータ）、２は固有情報設定装置であり、無線機器１，固有情報設定装置２ともに双方向の無線通信機能を有している。
この実施の形態では、固有情報設定装置２としてパーソナルコンピュータを用いているが、独自のハードウェアを搭載した専用の設定装置としてもよい。
【００２１】
図１において、無線機器１−１〜１−３は天井裏に設置され、固有情報設定装置２は室内側において操作者が持ち運ぶ。無線機器１−１〜１−３には、製造番号のような物理識別子が機器固有の識別情報として設定されている。この物理識別子は、固有情報設定装置２の交信圏内で重複がなければよい。この例では、無線機器１−１に対して物理識別子「ＥＦＤＣ３１」が、無線機器１−２に対して物理識別子「ＯＣＤＥＦ４」が、無線機器１−３に対して物理識別子「ＯＡＢＥＦ４」が設定されている。
【００２２】
図２に無線機器１の内部構成の概略を示す。無線機器１は、ＣＰＵ１Ａ、ＲＯＭ１Ｂ、ＲＡＭ１Ｃ、不揮発性メモリ１Ｄ、無線送受信回路１Ｅ、計測制御用入出力回路１Ｆ、ブザー１Ｈ、ランプ１Ｉ、アンテナ１Ｊを備えている。ＣＰＵ１Ａは、ＲＡＭ１Ｃおよび不揮発性メモリ１Ｄにアクセスしながら、ＲＯＭ１Ｂに格納されたプログラムに従って動作する。
【００２３】
ＲＯＭ１Ｂには、本実施の形態特有のプログラムとして、固有情報設定装置２側の固有情報設定プログラムと協働して固有情報の設定を行う固有情報設定プログラム（無線機器側の固有情報設定プログラム）が格納されている。この固有情報設定プログラムは工場出荷段階でＲＯＭ１Ｂに格納されている。
【００２４】
また、この実施の形態において、無線機器１の物理識別子は不揮発性メモリ１Ｄに格納されている。また、不揮発性メモリ１Ｄには、無線機器１に設定されるべき固有情報（設定情報）のデフォルト値、すなわち各種設定情報項目およびその設定情報項目に対する設定情報のデフォルト値が格納されている。このデフォルト値は工場出荷時に設定されている。
【００２５】
図３に固有情報設定装置２のハードウェア構成の概略を示す。同図において、２−１はＣＰＵ、２−２はＲＡＭ、２−３はＲＯＭ、２−４はハードディスクなどの記憶装置、２−５は無線送受信部、２−６，２−７はインターフェイス、２−８はディスプレイ、２−９はキーボード、２−１０はマウス、２−１１はアンテナである。ＣＰＵ２−１は、ＲＡＭ２−２にアクセスしながら、ＲＯＭ２−３や記憶装置２−４に格納されたプログラムに従って動作する。
【００２６】
記憶装置２−４には、本実施の形態特有のプログラムとして、無線機器１側の固有情報設定プログラムと協働して無線機器１への固有情報の設定を行う固有情報設定プログラム（固有情報設定装置側の固有情報設定プログラム）が格納されている。この固有情報設定プログラムは、例えばＣＤ−ＲＯＭなどの記録媒体に記録された状態で提供され、この記録媒体から読み出されて記憶装置２−４にインストールされている。
【００２７】
以下、図５示すシーケンス図を参照して、無線機器１（ＣＰＵ１Ａ）および固有情報設定装置２（ＣＰＵ２−１）が実行する固有情報設定プログラムに従う処理動作について説明する。なお、この例では、固有情報を設定したい所望の無線機器（設定対象の無線機器）を無線機器１−２とする。
【００２８】
〔手順１〕
操作者は、所望の無線機器１−２が設置されていると思われる場所で、固有情報設定装置２を起動する。図６に固有情報設定装置２における起動時の表示画面例を示す。この場合、画面の上部に、物理識別子の返送要求を送信するための送信ボタンＢＴ１が表示される。また、画面の下部に、メッセージの表示欄ＭＳが表示される。
【００２９】
〔手順２〕
操作者は、この表示画面中の送信ボタンＢＴ１をクリックする（図５：矢印（１））。すると、固有情報設定装置２は、通信可能圏内の無線機器１へ物理識別子の返送指令を送信する（図５：矢印（２））。
【００３０】
この場合、通信可能圏内には、図１に示したように、無線機器１−１，１−２，１−３が位置しているものとする。この固有情報設定装置２からの物理識別子の返送指令に応えて、通信可能圏内の無線機器１−１，１−２，１−３は、自己に設定されている物理識別子「ＥＦＤＣ３１」，「ＯＣＤＥＦ４」，「ＯＡＢＥＦ４」を返送する（図５：矢印(３)）。
【００３１】
固有情報設定装置２は、物理識別子を返送してきた無線機器の一覧ＢＬ１を作成し、表示する（図５：矢印（４）、図７参照）。この無線機器の一覧ＢＬ１には、返送されてきた物理識別子の他、その物理識別子に対応して、報知ボタンＢＴ２と設定ボタンＢＴ３が表示される。なお、物理識別子ではなく、物理識別子を返送してきた無線機器に対応する番号もしくは文字列を表示するようにしたり、アイコン（絵文字）を表示するようにしたりしてもよい。
【００３２】
〔手順３〕
操作者は、無線機器の一覧ＢＬ１中、例えば、最上位の物理識別子「ＥＦＤＣ３１」に対応して表示されている報知ボタンＢＴ２をクリックする（図５：矢印(５)）。すると、固有情報設定装置２は、物理識別子「ＥＦＤＣ３１」を通信可能圏内の無線機器１へ送信する（図５：矢印(６)）。
【００３３】
通信可能圏内の無線機器１（１−１〜１−３）は、固有情報設定装置２から物理識別子「ＥＦＤＣ３１」を受信すると、その物理識別子「ＥＦＤＣ３１」と自己の物理識別子とが一致するか否かを確認する。この場合、無線機器１−１に物理識別子「ＥＦＤＣ３１」が設定されており、固有情報設定装置２から送信されてきた物理識別子「ＥＦＤＣ３１」と一致する。
【００３４】
無線機器１−１は、固有情報設定装置２からの物理識別子「ＥＦＤＣ３１」と自己の物理識別子「ＥＦＤＣ３１」とが一致したことを確認すると、ブザー１Ｈを鳴動させ（図５：矢印(７)）、自己の所在を報知する。この場合、操作者は、ブザーの鳴動場所から、その無線機器１−１を所望の無線機器ではないと判断する。
【００３５】
なお、この例では、ブザー１Ｈを鳴動させるようにしたが、ランプ１Ｉを点灯させるようにしてもよく（図４参照）、ブザー１Ｈの鳴動とランプ１Ｉの点灯の両方で自己の所在を報知するようにしてもよい。また、ブザーの鳴動を固有情報設定装置２からの操作により停止させたり、鳴動開始後一定時間が経過した時点で停止させたりするようにしてもよい。
【００３６】
また、ブザーを連続鳴動ではなく、断続鳴動などとしてもよい。断続鳴動とすると、天井越しに鳴動位置を把握しやすくなる。また、付近の別の作業者による鳴動音と混同しないように、音色・音程・断続鳴動パターンなどを固有情報設定装置２側から設定できるようにしてもよい。また、ブザーの鳴動音ではなく、振動などで知らせるようにしてもよい。
【００３７】
〔手順４〕
次に、操作者は、無線機器の一覧ＢＬ１中、次の物理識別子「ＯＣＤＥＦ４」に対応して表示されている報知ボタンＢＴ２をクリックする（図５：矢印(８)）。すると、固有情報設定装置２は、物理識別子「ＯＣＤＥＦ４」を通信可能圏内の無線機器１へ送信する（図５：矢印(９)）。
【００３８】
通信可能圏内の無線機器１（１−１〜１−３）は、固有情報設定装置２から物理識別子「ＯＣＤＥＦ４」を受信すると、その物理識別子「ＯＣＤＥＦ４」と自己の物理識別子とが一致するか否かを確認する。この場合、無線機器１−２に物理識別子「ＯＣＤＥＦ４」が設定されており、固有情報設定装置２から送信されてきた物理識別子「ＯＣＤＥＦ４」と一致する。
【００３９】
無線機器１−２は、固有情報設定装置２からの物理識別子「ＯＣＤＥＦ４」と自己の物理識別子「ＯＣＤＥＦ４」とが一致したことを確認すると、ブザー１Ｈを鳴動させ（図５：矢印(１０)））、自己の所在を報知する。この場合、操作者は、ブザーの鳴動場所から、その無線機器１−２を設定対象の無線機器であると判断する。
【００４０】
〔手順５〕
操作者は、ブザーの鳴動場所から無線機器１−２を設定対象の無線機器であると判断すると、無線機器の一覧ＢＬ１中、物理識別子「ＯＣＤＥＦ４」に対応して表示されている設定ボタンＢＴ３をクリックする（図５：矢印(１１)）。すると、固有情報設定装置２は、設定対象の無線機器１−２の物理識別子「ＯＣＤＥＦ４」を付加して、通信可能圏内の無線機器１（１−１〜１−３）に対して設定情報のデフォルト値の送信要求を送る（図５：矢印(１２)）。
【００４１】
通信可能圏内の無線機器１（１−１〜１−３）は、固有情報設定装置２からの設定情報のデフォルト値の送信要求を受信し、その送信要求に付加されている物理識別子「ＯＣＤＥＦ４」と自己に設定されている物理識別子とが一致しているか否かを判断する。
【００４２】
この場合、設定対象の無線機器１−２において、その送信要求に付加されている物理識別子「ＯＣＤＥＦ４」と自己に設定されている物理識別子「ＯＣＤＥＦ４」とが一致していると判断される。これにより、設定対象の無線機器１−２は、固有情報設定装置２からの設定情報のデフォルト値の送信要求に応えて、自己が記憶している各種設定情報項目およびその設定情報項目に対する設定情報のデフォルト値を固有情報設定装置２へ返送する（図５：矢印(１３)）。
【００４３】
固有情報設定装置２は、設定対象の無線機器１−２から返送されてくる各種設定情報項目およびその設定情報項目に対する設定情報のデフォルト値を取得し、そのデフォルト値を含む各種設定情報の入力ウィンドウＷ１（図８参照）を無線機器の一覧ＢＬ１の横に表示する（図５：矢印(１４)）。
【００４４】
この例では、各種設定情報の入力ウィンドウＷ１中、設定情報項目として、「コントローラ名称」、「論理アドレス（管理番地）」、「連動制御方式」、「復電時運転状態」、「セットバック動作指令」、「室温設定方式」が表示される。「コントローラ名称」と「論理アドレス（管理番地）」はその設定情報の入力欄が空白とされており、「連動制御方式」は「連動あり」、「復電時運転状態」は「前回状態」、「セットバック動作指令」は「セットバック有り」、「室温設定方式」は「年間冷房主設定」としてその設定情報の入力欄にデフォルト値が設定されている。また、各種設定情報の入力ウィンドウＷ１には、確定ボタンＢＴ４が表示される。
【００４５】
〔手順６：設定情報の入力〕
操作者は、この表示された各種設定情報の入力ウィンドウＷ１において、「コントローラ名称」や「論理アドレス（管理番地）」については、所望の設定情報を入力する。「連動制御方式」、「復電時運転状態」、「セットバック動作指令」、「室温設定方式」については、変更の必要があれば、その設定情報を変更する（図５：矢印(１５)）。
【００４６】
〔手順７：設定情報の送信〕
そして、操作者は、各種設定情報の入力ウィンドウＷ１からの設定情報の入力を終了した後、確定ボタンＢＴ４をマウスクリックする（図９参照）。すると、固有情報設定装置２は、設定対象の無線機器１−２に対する設定情報の入力が確定したと判断し、その確定された入力ウィンドウＷ１中の設定情報を設定対象の無線機器１−２の物理識別子「ＯＣＤＥＦ４」を付加して通信可能圏内の無線機器１（１−１〜１−３）に対して送信する（図５：矢印(１６)）。
【００４７】
通信可能圏内の無線機器１（１−１〜１−３）は、固有情報設定装置２からの設定情報を受信し、その設定情報に付加されている物理識別子「ＯＣＤＥＦ４」と自己に設定されている物理識別子とが一致しているか否かを判断する。
【００４８】
この場合、設定対象の無線機器１−２において、その設定情報に付加されている物理識別子「ＯＣＤＥＦ４」と自己に設定されている物理識別子「ＯＣＤＥＦ４」とが一致していると判断される。これにより、設定対象の無線機器１−２は、固有情報設定装置２からの設定情報を自己に割り当てられた固有情報として記憶し、ＡＣＫ信号を固有情報設定装置２へ返す（図５：矢印(１７)）。
【００４９】
固有情報設定装置２は、設定対象の無線機器１−２からＡＣＫ信号が返送されてくると、設定対象の無線機器１−２への固有情報の設定が完了したことをメッセージの表示欄ＭＳで知らせる。また、無線機器の一覧ＢＬ１中で、設定ボタンの表示色を変えてその旨を知らせる。
【００５０】
上述した実施の形態では、無線機器１−２を設定対象の無線機器としたが、設定対象の無線機器を無線機器１−１とした場合でも、無線機器１−２を設定対象の無線機器とした場合と同様の手順で、無線機器１−１への固有情報の設定を行うことができる。設定対象の無線機器を無線機器１−３とした場合も同様である。
【００５１】
なお、この場合、各種設定情報の入力ウィンドウＷ１は、無線機器の一覧ＢＬ１中で次の設定対象の無線機器が選択されるまで表示され続ける。また、この場合、固有情報の設定がまだ行われていない無線機器は、無線機器の一覧ＢＬ１中の設定ボタンＢＴ３の表示色で分かる。
【００５２】
また、上述した実施の形態では、設定対象の無線機器から各種設定情報項目およびその設定情報項目に対する設定情報のデフォルト値を取得するようにしたが、固有情報設定装置２自身のメモリに無線機器１の種類に応じた各種設定情報項目およびその設定情報項目に対する設定情報のデフォルト値を記憶させておき、そのメモリから設定対象の無線機器１−２の種類に応じた各種設定情報項目およびその設定情報項目に対する設定情報のデフォルト値を読み出すようにしてもよい。
【００５３】
この場合のシーケンス図を図１０に示す。図５に示したシーケンス図と比較して分かるように、図１０に示したシーケンス図では設定対象の無線機器１−２への設定情報のデフォルト値の送信要求が省略され（図５における矢印（１２））、設定対象の無線機器１−２の種類に応じた各種設定情報項目およびその設定情報項目に対する設定情報のデフォルト値が固有情報設定装置２自身のメモリから読み出され、そのデフォルト値を含む各種設定情報の入力ウィンドウＷ１が表示される（図１０：矢印（１２））。他は、図５に示したシーケンス図と同じであるので、その説明は省略する。
【００５４】
以上の説明から分かるように、本実施の形態によれば、無線機器の設置場所が不明な場合であっても、周囲の無線機器に物理識別子の返送を要求し、物理識別子を返送してきた無線機器の一覧の中から無線機器を指定しながら所望の無線機器を探し出し、その無線機器に固有情報を設定することができるようになる。
【００５５】
また、固有情報設定装置に各無線機器の物理識別子とその無線機器に割り当てる固有情報との対応関係を登録しなくてもよく、面倒な登録作業が不要となる。また、設定情報に付加されている物理識別子の一致を確認して無線機器に固有情報を記憶させるので、固有情報設定装置の通信可能圏内に複数の無線機器が混在するような場合であっても、所望の無線機器のみに正しく固有情報を設定することができるようになる。
【００５６】
なお、本実施の形態では、物理識別子を返送してきた無線機器の一覧（物理識別子の一覧）から無線機器を指定するが、この無線機器の指定は必ずしも操作者が行うものとしなくてもよい。例えば、物理識別子を返送してきた無線機器の一覧から順番に無線機器を指定する機能を固有情報設定装置に設け、この機能によって指定された無線機器の物理識別子を通信可能圏内の無線機器に対して送信するようにしてもよい。この場合、指定された無線機器が自己の所在を報知し、その自己の所在を報知した無線機器が所望の無線機器でなければ、操作者の判断により次の無線機器の指定を自動的に行わせるという動作を繰り返す。
【００５７】
また、無線機器の一覧から１つずつ無線機器を指定する方法以外に、二分検索などを用いて短時間で設定対象の無線機器を発見する方法もある。例えば、先ず、無線機器の一覧上の半数の無線機器に報知指令を送る。その結果により、対象を半分にして、またその半数の無線機器に報知指令を送る、という動作を繰り返して行く。
【００５８】
また、本実施の形態において、無線機器は、天井裏や高所に機器を設置し、かつパラメータ設定を必要とする機器として、コントローラ以外にも、空調制御用バルブ・ダンパ・センサ、照明機器、無線ＬＡＮや構内ＰＨＳで使用される端末なども考えられる。
【００５９】
図１１および図１２に図５のシーケンス図を用いて説明した固有情報設定システムにおける固有情報設定装置２および無線機器１の要部の機能ブロック図を示す。
【００６０】
この方式（方式１）において、固有情報設定装置２は、表示部２Ａと、識別情報返送指令送信手段２Ｂと、識別情報受信手段２Ｃと、無線機器の一覧作成手段２Ｄと、識別情報送信手段２Ｅと、設定情報入力部表示手段２Ｆと、設定情報送信手段２Ｇとを備えている。無線機器１は、識別情報返送手段１Ａと、報知手段１Ｂと、設定情報のデフォルト値送信手段１Ｃと、固有情報記憶手段１Ｄと、各種設定情報のデフォルト値を記憶する記憶部１Ｅとを備えている。
【００６１】
〔固有情報設定装置〕
固有情報設定装置２において、識別情報返送指令送信手段２Ｂは、表示部２Ａにおいて送信ボタンが押された場合、通信可能圏内の無線機器１に対してその無線機器に設定されている識別情報の返送指令を送信する。
【００６２】
識別情報受信手段２Ｃは、識別情報返送指令送信手段２Ｂからの返送指令に応えて通信可能圏内の無線機器１から返送されてきた識別情報を受信する。無線機器の一覧作成手段２Ｄは、返送指令に応えて識別情報を返送してきた無線機器の一覧を作成し表示部２Ａに表示する。
【００６３】
識別情報送信手段２Ｅは、表示部２Ａにおける無線機器の一覧の中から指定された無線機器の識別情報を通信可能圏内の無線機器１に対して送信する。
【００６４】
設定情報入力部表示手段２Ｆは、表示部２Ａにおける無線機器の一覧の中から所望の無線機器が設定対象の無線機器として指定された場合、その指定された設定対象の無線機器に対する設定情報の入力部を表示部２Ａに表示する。
【００６５】
この場合、設定情報入力部表示手段２Ｆは、設定情報のデフォルト値の送信要求を設定対象の無線機器の識別情報を付加して通信可能圏内の無線機器へ送り、これに応えて設定対象の無線機器から送られてきた設定情報のデフォルト値を取得し、そのデフォルト値を含む各種設定情報の入力ウィンドウを設定情報の入力部として表示する。
【００６６】
設定情報送信手段２Ｇは、表示部２Ａに表示された設定情報の入力部に所望の設定情報が入力され、その設定情報の入力が確定された場合、その確定された設定情報を設定対象の無線機器の識別情報を付加して通信可能圏内の無線機器１に対して送信する。
【００６７】
〔無線機器〕
無線機器１において、識別情報返送手段１Ａは、固有情報設定装置２より送られてくる識別情報の返送指令に応じて自己に設定されている識別情報を固有情報設定装置２へ返送する。
報知手段１Ｂは、固有情報設定装置２より送られてくる識別情報を受信し、受信した識別情報と自己に設定されている識別情報とが一致した場合、自己の所在を報知する。
【００６８】
固有情報のデフォルト値送信手段１Ｃは、固有情報設定装置２からの設定情報のデフォルト値の送信要求に応えて、その設定情報のデフォルト値の送信要求に付加されている識別情報が自己に設定されている識別情報と一致していた場合、記憶部１Ｅに記憶されている各種設定情報のデフォルト値を固有情報設定装置２へ返送する。
【００６９】
固有情報記憶手段１Ｄは、固有情報設定装置２からの設定情報を受信し、その設定情報に付加されている識別情報が自己に設定されている識別情報と一致していた場合、受信した設定情報を自己に割り当てられた固有情報として記憶する。
【００７０】
図１３および図１４に図１０のシーケンス図を用いて説明した固有情報設定システムにおける固有情報設定装置２および無線機器１の要部の機能ブロック図を示す。
【００７１】
この方式（方式２）において、固有情報設定装置２は、無線機器の種類に応じた各種設定情報のデフォルト値を記憶する記憶部２Ｈを備えており、設定情報入力部表示手段２Ｆは、指定された設定対象の無線機器の種類に応じた各種設定情報のデフォルト値を記憶部２Ｈから読み出して、設定対象の無線機器に対する設定情報の入力部を表示部２Ａに表示する。
【００７２】
この方式において、無線機器１は、図１２に示したような設定情報のデフォルト値送信手段１Ｃや各種設定情報のデフォルト値を記憶する記憶部１Ｅは備えていない。
【図面の簡単な説明】
【００７３】
【図１】本発明に係る固有情報設定システムの一実施の形態を示す構成図である。
【図２】この固有情報設定システムにおける無線機器の内部構成の概略を示す図である。
【図３】この固有情報設定システムにおける固有情報設定装置の内部構成の概略を示す図である。
【図４】この固有情報設定システムにおける無線機器の所在をランプの点灯で報知するようにした例を示す図である。
【図５】この固有情報設定システムにおいて固有情報設定装置から設定対象の無線機器へ固有情報を設定する際の動作を示すシーケンス図（方式１）である。
【図６】固有情報設定装置における起動時の表示画面例を示す図である。
【図７】固有情報設定装置における無線機器の一覧の表示例を示す図である。
【図８】固有情報設定装置における設定対象の無線機器のデフォルト値を含む各種設定情報の入力ウィンドウの表示例を示す図である。
【図９】各種設定情報の入力ウィンドウからの設定情報の入力を終了した後に確定ボタンをマウスクリックする状況を示す図である。
【図１０】この固有情報設定システムにおいて固有情報設定装置から設定対象の無線機器へ固有情報を設定する際の動作を示すシーケンス図（方式２）である。
【図１１】図５のシーケンス図を用いて説明した方式とした固有情報設定システムにおける固有情報設定装置の要部の機能ブロック図である。
【図１２】図５のシーケンス図を用いて説明した方式とした固有情報設定システムにおける無線機器の要部の機能ブロック図である。
【図１３】図１０のシーケンス図を用いて説明した方式とした固有情報設定システムにおける固有情報設定装置の要部の機能ブロック図である。
【図１４】図１０のシーケンス図を用いて説明した方式とした固有情報設定システムにおける無線機器の要部の機能ブロック図である。
【符号の説明】
【００７４】
１（１−１〜１−３）…無線機器、２…固有情報設定装置、１Ａ…ＣＰＵ、１Ｂ…ＲＯＭ、１Ｃ…ＲＡＭ、１Ｄ…不揮発性メモリ、１Ｅ…無線送受信回路、１Ｆ…計測制御用入出力回路、１Ｇ…出力回路、１Ｈ…ブザー、１Ｉ…ランプ、１Ｊ…アンテナ、２−１…ＣＰＵ、２−２…ＲＡＭ、２−３…ＲＯＭ、２−４…記憶装置、２−５…無線送受信部、２−６，２−７…インターフェイス、２−８…ディスプレイ、２−９…キーボード、２−１０…マウス、２−１１…アンテナ、ＢＴ１…送信ボタン、ＢＴ２…報知ボタン、ＢＴ３…設定ボタン、ＢＴ４…確定ボタン、ＭＳ…メッセージの表示欄、ＢＬ１…無線機器の一覧、Ｗ１…各種設定情報の入力ウィンドウ、１Ａ…識別情報返送手段、１Ｂ…報知手段、１Ｃ…設定情報のデフォルト値送信手段、１Ｄ…固有情報記憶手段、１Ｅ…記憶部、２Ａ…表示部、２Ｂ…識別情報返送指令送信手段、２Ｃ…識別情報受信手段、２Ｄ…無線機器の一覧作成手段、２Ｅ…識別情報送信手段、２Ｆ…設定情報入力部表示手段、２Ｇ…設定情報送信手段、２Ｈ…記憶部。
【図１】
0005108501.tif 000002
【図２】
0005108501.tif 000003
【図３】
0005108501.tif 000004
【図４】
0005108501.tif 000005
【図５】
0005108501.tif 000006
【図６】
0005108501.tif 000007
【図７】
0005108501.tif 000008
【図８】
0005108501.tif 000009
【図９】
0005108501.tif 000010
【図１０】
0005108501.tif 000011
【図１１】
0005108501.tif 000012
【図１２】
0005108501.tif 000013
【図１３】
0005108501.tif 000014
【図１４】
0005108501.tif 000015